(57)【要約】【課題】高圧放電ランプに用いるＥ口金において、最大５ｋｖの高圧パルスを始動時に発生するイグナイターを組み合わせて使用することを可能とし、かつ、安全性に関しては国際電気標準会議（ＩＥＣ）及び日本工業規格（ＪＩＳ）を満足するような高圧放電ランプの口金を提供する。【解決手段】シェル部と、先端から上記シェル部に至る口金トップ部とを備える高圧放電ランプの口金において、上記シェル部の外形寸法（以下、「Ｅ」と記す）、上記口金トップ部の先端の外形寸法（以下、「Ｈ」と記す）、口金トップ部の長さ（以下、「Ｃ」と記す）の関係は、Ｅが１３．６ミリメートル（ｍｍ）より小さく、かつ、Ｅ／Ｈ比が３．３２より大きく、かつ、Ｃが５．５９ミリメートル（ｍｍ）より大きい高圧放電ランプの口金を提供する。【選択図】　　　　図１
2004071270.tif 000002
【特許請求の範囲】
【請求項１】
シェル部と、先端から上記シェル部に至る口金トップ部とを備える高圧放電ランプの口金において、
上記シェル部の外径寸法（以下、「Ｅ」と記す）、上記口金トップ部の先端の外径寸法（以下、「Ｈ」と記す）、口金トップ部の長さ（以下、「Ｃ」と記す）の関係は、
Ｅが１３．６ミリメートル（ｍｍ）より小さく、かつ、Ｅ／Ｈ比が３．３２より大きく、かつ、Ｃが５．５９ミリメートル（ｍｍ）より大きいことを特徴とする高圧放電ランプの口金。
【請求項２】
上記関係は、Ｅ／Ｈ比が３．３２より大きく３．９７以下であり、かつ、Ｃが６．４１ミリメートル以上であることを特徴とする請求項１記載の高圧放電ランプの口金。
【発明の詳細な説明】
【０００１】
【発明の属する技術分野】
この発明は、高圧放電ランプの口金に関する。
【０００２】
【従来の技術】
従来、高圧放電ランプの始動イグナイターは、一般的にパルス電圧が最大（Ｍａｘ）５ｋｖである。安全性に関しては国際電気標準会議（ＩＥＣ）及び日本工業規格（ＪＩＳ）においては、定格パルス電圧５ｋｖに対しては最小空間距離４ｍｍが規定されている。また、実験値でも４ｍｍ〜５ｍｍが必要とされる結果が得られている。しかしながら、始動イグナイターを使用する場合、使用状況（電源電圧等）の変動等を考慮する必要がある。従って、Ｍａｘ５ｋｖを満足するような口金が高圧放電ランプと組み合わせるために必要である。最小空間距離が充分でない口金を用いた場合、高圧パルスにより口金溶断及び短絡等の問題が発生し、ランプ短寿命の原因となる可能性が高い。
【０００３】
従来の口金の場合、上記にて示されている最小空間距離を満足しておらず、高圧放電ランプに用いることはできなかった。
【０００４】
【発明が解決しようとする課題】
そこで、この発明は、高圧放電ランプに用いる口金の耐圧性を向上させることを目的とする。
また、口金の先端部のサイズを適正化することを目的とする。
【０００５】
【課題を解決するための手段】
この発明に係る高圧放電ランプの口金は、シェル部と、先端から上記シェル部に至る口金トップ部とを備える高圧放電ランプの口金において、
上記シェル部の外径寸法（以下、「Ｅ」と記す）、上記口金トップ部の先端の外径寸法（以下、「Ｈ」と記す）、口金トップ部の長さ（以下、「Ｃ」と記す）の関係は、
Ｅが１３．６ミリメートル（ｍｍ）より小さく、かつ、Ｅ／Ｈ比が３．３２より大きく、かつ、Ｃが５．５９ミリメートル（ｍｍ）より大きいことを特徴とする。
【０００６】
上記関係は、Ｅ／Ｈ比が３．３２より大きく３．９７以下であり、かつ、Ｃが６．４１ミリメートル以上であることを特徴とする。
【０００７】
【発明の実施の形態】
実施の形態１．
図１は、実施の形態１の口金の先端部を示した図である。
口金は、シェル部と、口金トップ部とを有する。シェル部は、スクリュー形のねじ込み部分である。口金トップ部は、口金の先端からシェル部に至るまでの部分であり、絶縁体（例えば、セラミック等）で形成された部分である。口金トップ部は、口金アイレット部ともいう。
Ｅは、シェル部の外径寸法である。
Ｈは、口金トップ部の先端部分の外径寸法である。
上記外径寸法は、直径に相当する。
Ａ１は、シェル部の一端（口金トップ部から遠方の端）から口金トップ部までの長さである。すなわち、シェル部と口金トップ部との長さの和である。
Ｌは、シェル部の長さである。
Ｃは、口金トップ部の長さである。Ｃの値は、Ａ１からＬの値を差し引いて算出する（Ｃ＝Ａ１−Ｌ）。
上記長さは、軸方向の長さを示す。軸方向は、口金をソケットにねじ込む方向となる軸（ランプの中心軸）であり、ソケットへ口金を挿入する方向と平行になる。
【０００８】
図２は、口金のタイプ別に口金のサイズを示した図である。
１６ヶの口金それぞれの寸法を示している。
Ｂａｓｅ　Ｔｙｐｅは、口金の種類を示している。ＪＩＳ　Ｓｈｅｅｔ
Ｎｏを有する場合はその番号を示した。また、Ｅ，Ｈ，Ａ１，Ｌは、図１で説明した寸法と同じである。
Ｈ（ｍａｘ）とＨ（ｍｉｎ）は、Ｈの取り得る寸法の範囲を示し、この範囲で、Ｅ／Ｈの値が最適になるように、Ｃの値を調整することが可能となる。また、Ａ１（ｍｉｎ）は、Ａ１の取り得る最小値、Ｌ（ｍａｘ）は、Ｌの取り得る最大値を示し、Ｃの値が最適になるように、Ａ１とＬの値を調整することが可能となる範囲を限定している。
【０００９】
図２を用いて、高圧放電ランプの口金の先端部の寸法について説明する。
この発明に係る高圧放電ランプの口金は、次に示す関係、Ｅ＜１３．６ｍｍ、かつ、Ｅ／Ｈ＞３．３２、かつ、Ｃ＞５．５９ｍｍ（以下、左記の３つの要素の関係を「寸法関係」と記す）を有する口金である。
この発明に係る口金の一例を示す。
（１）Ｅを１３．５ｍｍ、Ｈを３．５ｍｍとすると、Ｅ／Ｈは、３．８５７であり、Ｃの値も５．５９より大きくする。
（２）Ｅを１２．０ｍｍ、Ｈを３．５６ｍｍとすると、Ｅ／Ｈは、３．３７０であり、Ｃの値も５．５９より大きくする。
（３）Ｅを１２．０ｍｍ、Ｈを３．５ｍｍとすると、Ｅ／Ｈは、３．４２８であり、Ｃの値も５．５９より大きくする。
上記以外の寸法であっても、上記寸法関係を満たす口金であればよい。
口金のサイズは、Ｅ／Ｈ比が３．３２より大きく、かつ、Ｃの寸法が５．５９より大きい場合に、高圧で印加する始動イグナイターを使用することが可能になる。
【００１０】
図３は、実施の形態１の高圧放電ランプの口金の寸法の範囲を示した図である。
この発明に係る高圧放電ランプの口金の寸法の範囲を２種類の斜線部分で示している。
「口金のサイズの範囲」で表した部分は、開発した口金の取り得るサイズの範囲である。この範囲であれば、最大５ｋｖを発生するイグナイターを高圧放電ランプの始動に用いることが可能となる範囲である。
また、「好ましい範囲」で表した部分は、イグナイターの出力が最大５ｋｖとなった場合であっても対応できるように開発した範囲である。
従って、「好ましい範囲」であらわした部分に適合する口金は、より安全性も高くなっているといえる。
【００１１】
このように、Ｅ口金を用いた高圧放電ランプにおいて、パルス電圧Ｍａｘ５ｋｖの高圧パルスを始動時に発生するイグナイターとあわせて使用することを可能にし、かつ、安全性に関しては国際電気標準会議（ＩＥＣ）及び日本工業規格（ＪＩＳ）を満足する高圧放電ランプ用の新型の口金を実現する。
【００１２】
【発明の効果】
本アイデアの口金は、Ｅ口金を用いた高圧放電ランプと高圧パルスを発生する始動イグナイターとの組み合わせにおいて従来の口金使用時に発生していた高圧パルスによる口金溶断及び短絡等の発生を防止する耐圧性を向上した新型口金を提供することができる。
【００１３】
また、口金のシェル部の外径寸法を小さくすることにより、コンパクトな高圧放電ランプを実現することが可能になる。従って、ランプ全体の大きさを小さくすることができ、狭い場所に設置することも可能になる。
【図面の簡単な説明】
【図１】実施の形態１の口金の先端部を示した図である。
【図２】口金のタイプ別に口金のサイズを示した図である。
【図３】実施の形態１の高圧放電ランプの口金の寸法の範囲を示した図である。
【図１】
2004071270.tif 000003
【図２】
2004071270.tif 000004
【図３】
2004071270.tif 000005